(57)【要約】  テレビ伝送を受信するように装備された、電気的に駆動されるデバイス１０が提供される。適切には、デバイス１０は、通常の動作のために、デバイス１０の電力が増加される第１の状態と、待機モードで動作するために、デバイス１０の電力が低減される第２の状態とを含む２つの状態のうちの１つにおいて動作可能である。デバイス１０は、そのデバイスによる受信のために、特定のテレビチャネルを選択する目的で使用されるチューナ１４と、チューナ１４を指定されたチャネルに設定して、指定されたチャネル上で受信された緊急の警報、警告、または公益メッセージのうちの少なくとも１つに関してチューナ１４を監視するために、待機モードで動作可能なコントローラ２４であって、緊急の警報、警告、または公益メッセージを検出すると、デバイス１０が検出された緊急な警報、警告、または公益メッセージを出力することを可能にするために、デバイス１０を第１の状態に切り替えるコントローラ２４と、主電源に動作可能に接続され、デバイスの動作可能な状態に従って、デバイス１０の選択された構成要素に電力を供給するように構成された電源装置１２であって、そのデバイスが待機モードにあるとき、電源装置１２からの電力は依然としてチューナ１４およびコントローラ２４に供給されるが、デバイス１０の１つまたは複数のその他の電気的に駆動される構成要素には供給されていない電源装置１２とを含む。
2011520350.tif 000002
【特許請求の範囲】
【請求項１】
テレビ伝送を受信するように装備された、電気的に駆動されるデバイスであって、通常の動作のために、デバイスの電力が増加される第１の状態と、待機モードで動作するために、デバイスの電力が低減される第２の状態とを含む２つの状態のうちの１つにおいて動作可能であり、
デバイスによる受信のために、特定のテレビチャネルを選択する目的で使用されるチューナと、
チューナを指定されたチャネルに設定して、指定されたチャネル上で受信された緊急の警報、警告、または公益メッセージのうちの少なくとも１つに関してチューナを監視するために、待機モードで動作可能なコントローラであって、緊急の警報、警告、または公益メッセージを検出すると、デバイスが検出された緊急の警報、警告、または公益メッセージを出力することを可能にするために、デバイスを第１の状態に切り替えるコントローラと、
主電源に動作可能に接続され、デバイスの動作可能な状態に従って、デバイスの選択された構成要素に電力を供給するように構成された電源装置であって、デバイスが待機モードにあるとき、電源装置からの電力は依然としてチューナおよびコントローラに供給されるが、デバイスの１つまたは複数のその他の電気的に駆動される構成要素には供給されていない電源装置とを含む、デバイス。
【請求項２】
選択された入力信号に対応するビデオ出力を表示するスクリーンと、
選択された入力信号に対応する音声出力を再生するスピーカとをさらに含み、
デバイスが待機モードにあるとき、スクリーンおよびスピーカは電源装置から電力を受信しないが、デバイスが第１の状態にあるとき、電源装置から電力を受信する、請求項１に記載のデバイス。
【請求項３】
電力が電源装置から利用可能でないとき、デバイスの選択された構成要素に電力を供給するように構成されたバックアップ電池
をさらに含む、請求項２に記載のデバイス。
【請求項４】
デバイスが待機モードにあるとき、電池は、電力をコントローラおよびチューナに供給するが、スピーカおよびスクリーンには供給しない、請求項３に記載のデバイス。
【請求項５】
デバイスが第１の状態にあるとき、電池は、電力をコントローラ、チューナ、およびスピーカに供給するが、スクリーンには供給しない、請求項４に記載のデバイス。
【請求項６】
電池は、再充電可能であり、利用可能な場合、所定の充電レベルに電池を維持するために、電源装置からの電力は、電池を再充電する、請求項５に記載のデバイス。
【請求項７】
電池の強度がしきい値未満になった場合、電池の状態を示す信号がデバイスから出力されるように、電池の強度を監視する電池センサ
をさらに含む、請求項６に記載のデバイス。
【請求項８】
スピーカからの出力を選択的にミュートにする音量調節
をさらに含む、請求項２に記載のデバイス。
【請求項９】
緊急の警報、警告、または公益メッセージを検出すると、コントローラは、スピーカからの出力をミュート解除するように音量調節に信号で知らせる、請求項８に記載のデバイス。
【請求項１０】
デバイスを、１つまたは複数のその他のネットワーク接続されたデバイスも動作可能に接続されたネットワークに動作可能に接続するための手段
をさらに含む、請求項１に記載のデバイス。
【発明の詳細な説明】
【技術分野】
【０００１】
本発明の主題は、公衆安全警報システムおよび／または公衆安全警告システムの分野に関する。特定の用途は、あるタイプの受信デバイスおよび／または特定のタイプの警報システムもしくは警告システムに関して見られ、本明細書は特にそれらを参照する。しかし、本発明の主題の態様は、その他の類似の用途および／またはシステムにも修正可能であることを理解されたい。
【背景技術】
【０００２】
政府および／またはその他の機関は、通常、彼らが仕える住民に、緊急状態および／または、例えば、特定の地理的領域にかかわるその他の公益に関する事態について警報もしくは警告するための利用可能なシステムおよび／または機構を開発ならびに／あるいは作成する義務を負う。これらの警告もしくはこれらの警報、またはその他の類似のメッセージは、例えば、厳しい気象状態またはその他の気象状態、自然災害またはその他の災害、交通状態またはその他の輸送機関状態、警察の活動または警告、国防警報または局地防衛警報、医学的な緊急事態、検疫、病気の発生またはその他の公衆衛生問題、空気または水の品質最新情報、紫外線レベルまたはその他の放射レベル、極端な環境状態または環境上の出来事、虫もしくはその他の蔓延または侵略種に関する報告など、幅広い緊急および／あるいは社会的な関心事について住民に通知するために、放送されることが可能であるか、または別の形で、広められることが可能である。特に、アメリカ合衆国は、緊急状態および／またはその他の公益に関する事態について公衆一般に通知するために緊急放送システム（ＥＢＳ）および／または緊急警報システム（ＥＡＳ）を用いてきた。加えて、国際電気通信連合の電気通信開発部門（ＩＴＵ−Ｄ）は、現在、「Ｇｕｉｄｅｌｉｎｅｓ  ｆｏｒ  Ｕｓｉｎｇ  ａ  Ｃｏｎｔｅｎｔ  Ｓｔａｎｄａｒｄ  ｆｏｒ  Ａｌｅｒｔｓ  ａｎｄ  Ｎｏｔｉｆｉｃａｔｉｏｎｓ  ｉｎ  Ｄｉｓａｓｔｅｒｓ  ａｎｄ  Ｅｍｅｒｇｅｎｃｙ  Ｓｉｔｕａｔｉｏｎｓ」を構築している。
【０００３】
いずれにしても、当技術分野で一般に知られているように、一部のラジオ受信機は、政府もしくはその他の機関によって放送された警報、警告、および／またはその他の類似のメッセージを監視ならびに／あるいは受信するように装備されている。例えば、アメリカ合衆国において、米国立測候所（ＮＷＳ）は、適切な警報、警告、および／またはその他の類似のメッセージを米国気象無線通信（Ｎａｔｉｏｎａｌ  Ｗｅａｔｈｅｒ  Ｒａｄｉｏ）（ＮＷＲ）ネットワーク上で放送している。適切に装備されたラジオ受信機は、かかる警報、警告、および／もしくはメッセージを検出ならびに／またはそれらを再生するため、あるいは別の形で、出力するためにプロビジョニングされる。場合によっては、これらのラジオは、ラジオの電源オフにされた場合、もしくは待機モードにある場合、またはラジオの音声出力が低減された場合、もしくはオフにされた場合ですら、放送された警報、警告、もしくはメッセージを自動的に検出および／または再生するように装備され得る。同様に、公共の警告、警報、および／またはその他の類似のメッセージは、テレビ伝送を経由しても放送され、または別の形で、広められる。例えば、ＥＢＳおよび／またはＥＡＳは、そのテレビジョン上で公衆によって受信されることが可能な公共の警告、警報、および／またはその他の類似のメッセージを提供する。
【０００４】
放送された警報、警告、またはその他の類似のメッセージを受信するためには概して有用であるが、専用の「気象」ラジオは、公衆によって広く使用されていない。したがって、かかるラジオに依存することは、緊急事態に関して公衆一般に通知するという一般的利益に十分役立たないことになる。さらに、ラジオおよびテレビジョンは、一般に、交流（ＡＣ）コンセント、または主電源（ｅｌｅｃｔｒｉｃ  ｍａｉｎｓ）もしくは家庭内電源に対するその他の接続から受信された電気によって電力供給される。したがって、（多くの緊急事態において、一般的に該当するように）主電源が停電した場合、そのように電気供給されたラジオおよび／またはテレビジョンは、警告もしくは警報、あるいはその他のかかる放送または伝送を受信するように動作可能であり得ない。
【発明の概要】
【発明が解決しようとする課題】
【０００５】
ハンドヘルドラジオおよび／またはポータブルラジオは、多くの場合、オプションで、電池により電力供給されることが可能である。しかし、電池は、劣化またはその他の理由により切れる場合がある。さらに、公衆は、一般的に、主な情報源（場合によっては、唯一の情報源）として、自らのテレビジョンにますます依存している。したがって、個人は、停電の間に緊急の警報、警告、またはその他のメッセージを受信するのに適したラジオを持たない場合があるのが一般的である。加えて、電池は、ハンドヘルドラジオまたはポータブルラジオなど、一部のより小さなデバイスの電源として適している場合があるが、電池は、一般に、通常の動作のために、極めてより大きな電力を要求する、今日の普及しているテレビジョンなど、電気デバイス内の電源として用いられない。例えば、通常の３２インチの液晶ディスプレイ（ＬＣＤ）テレビは、電源がオンにされたとき、約２００ワットを消費する。理解できるように、この負荷は、そのようなテレビジョン用の通常の電源として実用的になるには、あまりにも速く任意の合理的なサイズの電池を使い果たすことになる。
【０００６】
したがって、上で参照された問題などを克服する、公益に関する緊急の警報、警告、および／もしくはその他のメッセージを受信するための新しく、改善されたデバイスならびに／または方法が開示される。
【課題を解決するための手段】
【０００７】
一実施形態によれば、テレビ伝送を受信するように装備された、電気的に駆動されるデバイスが提供される。適切には、このデバイスは、通常の動作のために、デバイスの電力が増加される第１の状態と、待機モードで動作するために、デバイスの電力が低減される第２の状態とを含む２つの状態のうちの１つにおいて動作可能である。このデバイスは、そのデバイスによる受信のために、特定のテレビチャネルを選択する目的で使用されるチューナと、チューナを指定されたチャネルに設定して、指定されたチャネル上で受信された緊急の警報、警告、または公益メッセージのうちの少なくとも１つに関してチューナを監視するために、待機モードで動作可能なコントローラであって、緊急の警報、警告、または公益メッセージを検出すると、デバイスが検出された緊急の警報、警告、または公益メッセージを出力することを可能にするために、デバイスを第１の状態に切り替えるコントローラと、主電源に動作可能に接続され、デバイスの動作可能な状態に従って、デバイスの選択された構成要素に電力を供給するように構成された電源装置であって、そのデバイスが待機モードにあるとき、電源装置からの電力は依然としてチューナおよびコントローラに供給されるが、そのデバイスの１つまたは複数のその他の電気的に駆動される構成要素には供給されていない電源装置とを含む。
【０００８】
本明細書で開示される本発明の主題の様々な利点および利益は、本明細書を読み、理解すると、当業者に明らかになるであろう。
【０００９】
本発明の主題は、様々な構成要素、および構成要素の様々な配置の形をとる場合があり、様々なステップおよびステップの様々な構成の形をとる場合もある。図面は、好ましい実施形態を例示するためだけであり、限定的と見なされるべきではない。さらに、図面は原寸に比例していない点を理解されたい。
【図面の簡単な説明】
【００１０】
【図１】本発明の主題の態様を実施するのに適した、例示的な緊急の警報、警告、またはその他の類似のメッセージを受信するデバイスを示すブロック図である。
【発明を実施するための形態】
【００１１】
分かり易いように、かつ簡単にするために、本明細書は、本明細書で提示される（１つもしくは複数の）好ましい実施形態に従って、かつ／または本明細書で提示される（１つもしくは複数の）好ましい実施形態に対応するために、それらが修正または改変されている範囲を除いて、その構成または動作についてのさらなる詳細な説明なしに、構造的要素および／または機能的要素、実体および／または手段、関連する標準、プロトコルおよび／またはサービス、ならびに当技術分野で一般に知られているその他の構成要素を参照する。
【００１２】
図面は、適切な政府もしくはその他の機関、またはそれらを代理する、その何らかの中継代理人もしくはその他の適切な代理人によって放送され、送信され、あるいは別の形で、広められた緊急の警報、警告、および／もしくはその他の公益メッセージを受信ならびに／または再生するためのデバイス１０を示す。例えば、緊急の警報、警告、および／またはその他の公益メッセージは、オプションで、通常の無線テレビおよび／またはラジオ放送業者、ケーブルテレビプロバイダ、衛星テレビプロバイダおよび／またはラジオプロバイダ、ならびにインターネットサービスプロバイダ、伝統的な有線電話サービスプロバイダおよび／または無線電話サービスプロバイダを含めて、様々なその他の電気通信サービスプロバイダによって放送され、送信され、または別の形で、広められる。オプションで、これらの警報、警告、および／またはその他の公益メッセージは、ＩＴＵ−Ｄによって画定された共通警報プロトコル（ＣＡＰ）を使用して提供される。
【００１３】
示された例では、デバイス１０は、無線テレビブロードキャスタ、ケーブルテレビプロバイダおよび／もしくは衛星テレビプロバイダ、またはその他の類似のテレビサービスプロバイダによって放送された、または別の形で別の形で、送信された緊急の警報、警告、および／またはその他の公益メッセージを受信するように装備されたテレビジョン（ＴＶ）である。図に示すように、ＴＶ１０は、例えば、以下を含めて、一般に、通常の形で装備される：
・  ＴＶ１０の通常の動作のために、電力を提供する目的で、プラグ１３を経由してＡＣコンセントにプラグで接続するか、または別の形で、主電源または家庭内電源に接続する電源装置１２、
・  ＴＶ１０によって受信されることになる特定のテレビチャネルを選択するために使用される受信機および／またはチューナ１４、
・  （ｉ）受信機／チューナ１４上で、かつ／もしくは受信機／チューナ１４によって選択されたチャネル、または（ｉｉ）（例えば、ＤＶＤ（デジタルビデオディスク）再生装置もしくはその他のソースからなど）代替の入力信号であり得る、選択された入力信号に対応するビデオ出力を表示するためのスクリーンまたはモニタ１６、
・  （すなわち、受信機／チューナ１４または代替のソースから）選択された入力信号に対応する音声出力を再生するための１つもしくは複数のスピーカ１８、
・  スピーカ１８の出力音量を制御し、かつ／またはスピーカを選択的にミュートにする音量調節２０、ならびに
・  通常の動作のために、ＴＶ１０を「オン」にするため、もしくは別の形で、ＴＶ１０の電力を増加するため、かつ／あるいはＴＶ１０を「オフ」にするため、または別の形で、ＴＶ１０を電力が低減されたモード、休止モード、もしくは待機モードにするために選択的に用いられる電力スイッチおよび／または電力ボタン２２。
【００１４】
例示的な実施形態では、ＴＶ１０は、ＴＶ１０および／またはその中の様々な構成要素の動作を規制するコントローラ２４も備える。適切には、コントローラ２４を経由して、ＴＶ１０は、例えば、電力スイッチまたは電力ボタン２２の動作に従って、ＴＶ１０の電力がオフにされているとき、もしくは低減されているとき、または休止モードもしくは待機モードにあるときですら、緊急の警報、警告、および／もしくはその他の類似の公益メッセージを監視する、かつ／または自動的に検出するための能力を有する。
【００１５】
より詳細には、その他のＴＶ構成要素が、一般に電力を受信していない間に、ＴＶ１０の電力がオフにされているとき、もしくは低減されているとき、または休止モードもしくは待機モードにあるとき、コントローラ２４および／または受信機／チューナ１４は、例えば、電源装置１２によって、もしくはその代わりに（本明細書において後に説明される）バックアップ電池２６によって電力供給され続ける。適切には、ＴＶ１０の電力がオフにされているとき、もしくは低減されているとき、または休止モードもしくは待機モードにあるとき、コントローラ２４は、受信機／チューナ１４を指定されたチャネルに設定して、緊急の警報、警告、および／またはその他の類似の公益メッセージの受信を検出するために、受信機／チューナ１４を監視する。ＴＶ１０が最後に、例えば、ＤＶＤ再生装置など、代替の入力源から音声および／またはビデオを出力するようにセットアップされている可能性がある場合、まず受信機／チューナ１４を指定されたチャネルに設定し、次いで、受信機／チューナ１４を監視することによって、コントローラ２４は、潜在的な警報、警告、またはその他の類似のメッセージを見逃すことを回避することが可能である。適切には、コントローラ２４によって受信機／チューナ１４が最初に設定された、指定されたチャネルは、例えば、ユーザによって選択された、事前に確立されたデフォルトチャネルであり、またはその代わりに、受信機／チューナ１４がそれに合わせて最近調整されたテレビチャネルであってもよい。
【００１６】
適切には、緊急の警報、警告、またはその他の類似の公益メッセージは、コントローラ２４が、確立されたヘッダ信号、あるいはその警報、警告、もしくはその他の類似のメッセージに先立って、またはその直前に放送された、もしくは別の形で、送信されたその他の類似の指示子を認識することによって検出される。したがって、ヘッダ信号またはその他の類似の指示子が、受信機／チューナ１４によって受信されて、当該ヘッダ信号またはその他の類似の指示子を監視しているコントローラ２４によって認識されたとき、ＴＶ１０の電力は、例えば、スクリーン１６および／またはスピーカ１８を経由して、続く警報、警告、および／もしくはメッセージを再生するために、または別の形で、出力するために、コントローラ２４によって自動的に増加されるか、または別の形で、オンにされる。適切には、（例えば、ユーザが、ホームシアターシステムの外部スピーカを用いることを選ぶため、または理由が何であれ）音量調節２２がスピーカ１８をミュートにするように設定されている場合、緊急の警報、警告、および／またはその他の類似の公益メッセージが検出されているとき、かつ／またはＴＶ１０によって再生されるとき、もしくは別の形で、出力されることになるとき、オプションで、コントローラ２４は、音量調節２２上のミュート設定を無効にするかもしくは無視するか、または別の形で、スピーカ１８をミュート解除するように音量調節２２に命令する。
【００１７】
オプションで、図に例示されたように、ＴＶ１０は、バックアップ電池２６も含む。適切には、電池２６は再充電可能であり、利用可能な場合、電源装置１２からの電力は、所望されるレベルもしくは所定のレベルに電池２６を再充電し、かつ／またはその充電を維持する。実際には、電源装置１２が接続された主電源または家庭内電源が停電したとき、または別の形で、電源装置１２がＴＶ１０および／またはその中の選択された構成要素に電力を供給することができなかったとき、バックアップ電池２６は、ＴＶ１０および／またはその中の選択された構成要素に電力を提供する。
【００１８】
より詳細には、電力が電源装置１２から利用可能でないとき、その他のＴＶ構成要素は、通常、電力を受信しないが、電池２６は、上で説明されたように、緊急の警報、警告、および／もしくはその他の類似の公益メッセージを監視するため、かつ／または検出するために、コントローラ２４および受信機／チューナ１４に電力を供給し続ける。警報、警告、またはその他の類似のメッセージが検出されるとすれば、電池２６は、次いで、ＴＶ１０が、コントローラ２４の指令の下で、その少なくとも音声部分を再生するか、または別の形で、出力することを可能にするために、スピーカ１８にも適切に電力を提供する。しかし、適切には、電池２６からの電力はスクリーン１６に供給されない。スクリーン１６に電力を供給しないことによって、電池２６の寿命はかなり拡張される。オプションで、電池２６は、サイジングされ、必要な大きさにされ、かつ／または別の形で、電源装置１２からの電力なしに、約８時間の監視機能を実行し、かつ／または電源装置１２からの電力なしに、フル音量で、警報、警告、もしくはその他の類似のメッセージの２つの音声再生、または類似の出力を提供する目的で、コントローラ２４および／または受信機／チューナ１４に電力を供給するためにプロビジョニングされる。
【００１９】
適切には、ＴＶ１０は、例えば、利用可能な充電または電力に関して、電池２６の蓄電量が低くなるときを検出する、連続的なパッシブ監視回路（ｐａｓｓｉｖｅ  ｍｏｎｉｔｏｒｉｎｇ  ｃｉｒｕｉｔ）などの電池センサ２８も備える。（電池２６の再充電可能な性質に照らして、稀な出来事であるべきであり、したがって、通常、かなりの電池劣化だけに関連する）かかる状態が検出されたとき、センサ２８は、弱まった電池状態について、コントローラ２４に信号で知らせるか、または別の形で、通知する。応答して、コントローラ２４は、電池状態の警報をユーザに提供する。例えば、電池状態を示すために、オプションの信号灯（図示せず）が点灯されてよく、フラッシュしてよく、または別の形で、制御されてよい。もう１つの実施形態では、電池状態を示す信号は、スクリーン１６および／またはスピーカ１８を経由して出力され得る。適切には、１つのオプションでは、コントローラ２４は、スクリーン１６および／またはスピーカ１８を経由して、電池状態の視覚的表示および／または聴覚的表示を出力するために、ＴＶ１０の通常の動作に割り込むことが可能である。もう１つの適切な実施形態では、ＴＶ１０の通常の動作は割り込まれず、むしろ、ＴＶ１０をオフに切り替える試み、または別の形で、ＴＶ１０の電力を低減する試み、あるいはＴＶ１０をスリープモードもしくは待機モードにする試みの際に、電力スイッチもしくは電力ボタン２２、またはその他の類似制御が使用されるとき、コントローラ２４は、前述の電池状態信号を生成して、オプションで、電池状態および／または電池２６の交換時期であることを通知するユーザ入力を要求することが可能である。当然、電力が電源装置１２から利用可能なとき、前述の電池を監視すること、および／または電池状態を信号で知らせることに関連する構成要素は、電源装置１２によって電力供給され得る。
【００２０】
１つの適切な実施形態では、コントローラ２４は、警報、警告、またはその他の類似のメッセージのヘッダもしくはその他の類似の指示子を検出および／または認識できるだけでなく、その中の、または別の形で、警報、警告、および／もしくはメッセージ自体に伴う追加の制御信号ならびに／または指示子を検出することかつ／あるいは認識することも可能である。例えば、かかる制御信号および／または指示子は、受信機／チューナ１４を、所与の地理的領域または地域に影響を及ぼしている特定の緊急事態に関して、より即時の情報および／もしくは詳細な情報が提供されている、選択されたチャネルに自動的に変更するように、コントローラ２４に要求ならびに／または命令することが可能である。加えて、ＴＶ１０は、オプションで、ネットワークアダプタ３０など、あるいはＴＶ１０が（例えば、有線もしくは無線のローカルエリアネットワーク（ＬＡＮ）またはその他の適切なネットワークもしくはリンクを経由して）その他のネットワーク接続された機器および／またはデバイスと動作可能に通信することを許可する、いくつかのその他の適切な接続を備えることも可能である。したがって、受信された警報、警告、またはその他の類似のメッセージに伴う、コントローラ２４によって検出ならびに／または認識された制御信号および／もしくは指示子は、オプションで、その他のネットワーク接続された機器および／もしくはデバイスの電源をオンまたはオフにするために、あるいは別の形で、その他のネットワーク接続された機器および／もしくはデバイスの動作を規制するために、コントローラ２４によってその他のネットワーク接続された機器および／またはデバイスに（例えば、ネットワークアダプタ３０を経由して）転送される要求もしくは命令を含むことが可能である。
【００２１】
例えば、住居は、アダプタ３０を経由して、ＴＶ１０も動作可能に接続されたＬＡＮに接続された空気循環システムを有する場合がある。外気を、呼吸するには危険なものにする環境事故が発生したと仮定すると、適切な機関は、緊急の警報もしくは警告を放送し、または別の形で、送信し、それと一緒に、空気循環システムを遮断し、かつ／もしくは外気取入れ弁を閉鎖するための命令を含む制御信号を含むことになる。ＴＶ１０が緊急の警報もしくは警告を含むテレビ放送またはその他の伝送を受信したとき、コントローラ２４は、それに伴う制御信号を認識して、当該制御信号または別の適切な対応する信号もしくはメッセージを、アダプタ３０を経由してＴＶ１０が接続されたネットワークを介して空気循環システムに転送することになる。次いで、空気循環システムは、それに応じて従うことができる。当然、これは、単なる一例であり、異なるタイプのネットワーク接続された機器および／もしくはデバイスに関する、かつ／または異なるタイプの制御信号および／もしくは緊急事態に関する多くのその他の類似の例が容易に想定され得る。
【００２２】
上述の例はＴＶ１０を参照するが、本発明の主題の１つもしくは複数の態様を実装するために、例えば、その他の放送受信デバイスまたは伝送受信デバイスなど、１つもしくは複数のその他のデバイスが同様に用いられることが可能である点を理解されたい。例えば、場合によっては、個別のケーブルボックスまたは衛星受信機は、オプションで、受信機／チューナ１４および／またはコントローラ２４を含むことが可能であり、一方、そのケーブルもしくは衛星受信機が動作可能に接続された、関連するＴＶまたはモニタは、スクリーン１６および／またはスピーカ１８を含む。適切には、そのような場合、両方のデバイスは、オプションで、電源装置１２などの電源装置と、電池２６などのバックアップ電池と、センサ２８など、オプションの電池センサとを含み、デバイス間の通信は、オプションで、それぞれのデバイスの動作を達成するためのデバイス間の動作可能な通信リンクを経由して実行され、結果として、上で説明されたものと同じ成果または類似の成果をもたらすことになる。
【００２３】
本明細書で提示された特定の例示的な実施形態と関連して、いくつかの構造的特徴および／または機能的特徴は、画定された要素および／または構成要素の中に組み込まれているとして説明されている点に理解されたい。しかし、必要な場合、これらの特徴は、同じ利益もしくは類似の利益のために、その他の要素および／または構成要素の中に同様に組み込まれることが想到される。例示的な実施形態の異なる態様は、所望される適用に適したその他の代替の実施形態を達成するために、必要に応じて、選択的に用いられることが可能であり、これらのその他の代替の実施形態は、それによって、その中に組み込まれた態様のそれぞれの利点を実現する点も理解されたい。
【００２４】
本明細書で説明された特定の要素または構成要素は、その機能性をハードウェア、ソフトウェア、ファームウェア、またはそれらの組合せを介して適切に実装させることが可能である点も理解されたい。加えて、一緒に組み込まれたとして本明細書で説明された、いくつかの要素は、適切な条件の下で、独立型の要素であってよく、または別の形で、分離されてもよい点を理解されたい。同様に、１つの特定の要素によって実行されているとして説明された複数の特定の機能は、個々の機能を実行するために独立して動作している複数の識別可能な要素によって実行されることが可能であり、またはいくつかの個々の機能は、分離されて、協力して動作している複数の識別可能な要素によって実行されてもよい。あるいは、互いに別個のものとして、別に説明されかつ／または本明細書に示されたいくつかの要素もしくは構成要素は、必要な場合、物理的にあるいは機能的に組み合わされてもよい。
【００２５】
つまり、本明細書は、好ましい実施形態を参照して記載されている。修正形態および改変形態は、本明細書を読み、理解すると、他者の頭に浮かぶことになることは明らかである。本発明は、すべてのかかる修正形態および改変形態が、添付の特許請求の範囲、またはその均等物に包含される範囲で、それらの修正形態および改変形態を含むと解釈されるべきであることが意図される。
【図１】
2011520350.tif 000003
【手続補正書】
【提出日】平成21年9月3日(2009.9.3)
【手続補正１】
【補正対象書類名】特許請求の範囲
【補正対象項目名】全文
【補正方法】変更
【補正の内容】
【特許請求の範囲】
【請求項１】
テレビ伝送を受信するように装備された、電気的に駆動されるデバイスであって、通常の動作のために、デバイスの電力が増大される第１の状態と、待機モードで動作するために、デバイスの電力が低減される第２の状態とを含む２つの状態のうちの１つにおいて動作可能であり、
デバイスによる受信のために、特定のテレビチャネルを選択する目的で使用されるチューナと、
チューナを指定されたチャネルに設定して、指定されたチャネル上で受信された緊急の警告、警報、または公益メッセージのうちの少なくとも１つに関してチューナを監視するために、待機モードで動作可能なコントローラであって、緊急の警告、警報、または公益メッセージを検出すると、デバイスが検出された緊急の警告、警報、または公益メッセージを出力することを可能にするために、デバイスを第１の状態に切り替えるコントローラと、
主電源に動作可能に接続され、デバイスの動作状態に従って、電力をデバイスの選択された構成要素に供給するように構成された電源装置であって、デバイスが待機モードにあるとき、電源装置からの電力は、少なくともチューナおよびコントローラに供給されるが、デバイスの１つまたは複数のその他の電気的に駆動される構成要素には供給されていない電源装置と、
選択された入力信号に対応する音声出力を再生するスピーカと、
電力が電源装置から利用可能でないとき、デバイスの選択された構成要素に電力を供給するように構成されたバックアップ電池とを含み、
デバイスが待機モードにあり、電力が電源装置から利用可能でないとき、バックアップ電池が電力を少なくともチューナおよびコントローラに供給し、デバイスが第１の状態にあり、電力が電源装置から利用可能でないとき、バックアップ電池が電力を少なくともチューナ、コントローラ、およびスピーカに供給する、デバイス。
【請求項２】
選択された入力信号に対応するビデオ出力を表示するスクリーンをさらに含み、
デバイスが待機モードにあり、電力が電源装置から利用可能でないとき、スクリーンはバックアップ電池から電力を受信せず、デバイスが第１の状態にあり、電力が電源装置から利用可能でないとき、スクリーンはバックアップ電池から電力を受信する、
請求項１に記載のデバイス。
【請求項３】
デバイスが待機モードにあり、電力が電源装置から利用可能でないとき、バックアップ電池は電力をスピーカまたはスクリーンに供給しない、請求項２に記載のデバイス。
【請求項４】
デバイスが第１の状態にあり、電力が電源装置から利用可能でないとき、バックアップ電池は電力をスピーカに供給し、電力をスクリーンに供給しない、請求項２に記載のデバイス。
【請求項５】
電池は、再充電可能であり、利用可能な場合、所定の充電レベルに電池を維持するために、電源装置からの電力は、電池を再充電する、請求項１に記載のデバイス。
【請求項６】
電池の強度がしきい値未満になった場合、電池の状態を示す信号がデバイスから出力されるように、電池の強度を監視する電池センサ
をさらに含む、請求項１に記載のデバイス。
【請求項７】
スピーカからの出力を選択的にミュートにする音量調節
をさらに含む、請求項２に記載のデバイス。
【請求項８】
緊急の警報、警告、または公益メッセージを検出すると、コントローラは、スピーカからの出力をミュート解除するように音量調節に信号で知らせる、請求項７に記載のデバイス。
【請求項９】
デバイスを、１つまたは複数のその他のネットワーク接続されたデバイスも動作可能に接続されたネットワークに動作可能に接続するための手段
をさらに含む、請求項１に記載のデバイス。
【請求項１０】
通常の電力の損失の間、メッセージを受信するための方法であって、
ａ）電源装置を経由して、主電源から通常の電力を受信し、通常の動作のために、デバイスの電力が増大される第１の状態と、待機モードで動作するために、デバイスの電力が低減される第２の状態とを含む２つの状態のうちの１つにおいて動作可能なデバイスを提供するステップであって、デバイスがテレビ伝送を受信するように装備される、提供するステップと、
ｂ）通常の電力が電源装置から利用可能でなく、デバイスが第２の状態にあるとき、バックアップ電力をバックアップ電池からデバイスの少なくともコントローラおよびチューナに提供するステップと、
ｃ）デバイスが待機モードにあり、バックアップ電池からのバックアップ電力の下で通常の電力が電源装置から利用可能でないとき、チューナを指定されたチャネルに設定するステップと、
ｄ）バックアップ電池からのバックアップ電力の下で、緊急の警告、警報、または公益メッセージのうちの少なくとも１つに関して指定されたチャネルを監視するステップと、
ｅ）バックアップ電池からのバックアップ電力の下で、緊急の警告、警報、または公益メッセージのうちのいずれかを検出した後で、デバイスを第２の状態から第１の状態に切り替えるステップと、
ｆ）通常の電力が電源装置から利用可能でなく、デバイスが第１の状態にあるとき、バックアップ電力をバックアップ電池からデバイスの少なくともコントローラ、チューナ、およびスピーカに供給するステップと、
ｅ）バックアップ電池からのバックアップ電力の下で、少なくともスピーカを経由して、対応する緊急の警告、警報、または公益メッセージを出力するステップとを含む、方法。
【国際調査報告】
2011520350.tif 000004
2011520350.tif 000005
2011520350.tif 000006